(57)【特許請求の範囲】
【請求項１】
道路に埋設される側溝用ブロックにおいて、内部に長手方向にわたる排水路（３）を有するブロック本体（２）の長手方向の少なくとも一接続端面（７）に、パッキン材（８）を排水路（３）の上部又は上部の一部を除く周囲を囲んで配するとともに、その両端部（８ａ）を外方に湾曲又は屈曲させてブロック本体（２）の両側壁（４）上部に延設して排水路（３）側に向け斜降状となし、且つ側壁（４）に開口して排水路（３）に連通する溝状の導水路（６）を、前記パッキン材（８）の延設部上側で該延設部にほぼ沿って、及び／又は他側接続端面（７）にあって前記延設部に相応する上側で延設部相応部にほぼ沿って排水路（３）側に斜降状に設けた側溝用ブロック。
【請求項２】
道路に埋設される側溝用ブロック又は道路に少なくともその下部が埋設される道路用ブロックにおいて、ブロック本体（２）の排水性舗装道路（２０）に臨む側壁（４）に長手方向にわたって設ける集水溝（５）を排水性舗装道路（２０）の排水機能層（２１）と不透水層（２２）の境界（Ｘ）付近に位置せしめ、上記集水溝（５）に沿って設ける板材からなる集水兼導水蓋（９）の上部で上記排水機能層（２１）に臨む面に長手方向に多数の流入孔（９ａ）を穿設し、且つ該流入孔（９ａ）の最下端縁（９ａ１）を排水機能層（２１）と不透水層（２２）の境界（Ｘ）付近に位置させて集水溝（５）における上記流入孔（９ａ）の最下端縁（９ａ１）より上側の開口部を集水域、又、それ以下の集水兼導水蓋（９）により覆われる閉塞部を水路域となす側溝用ブロック又は排水性舗装道路用ブロック。
【請求項３】
道路に埋設される側溝用ブロック又は道路に少なくともその下部が埋設される道路用ブロックにおいて、ブロック本体（２）の排水性舗装道路（２０）に臨む側壁（４）に長手方向にわたって２条の集水溝（５）を上下に間隔をおいて設け、且つ上、下の集水溝（５）を連結する連絡路（１３）及び下側の集水溝（５）に連通する導水路（６）をブロック本体（２）に設け、少なくとも上側の集水溝（５）を排水性舗装道路（２０）の排水機能層（２１）に臨ませ、上側の集水溝（５）にあって該集水溝（５）に沿って設けた蓋に穿設した多数の流入孔（９ａ）により形成される開口部を集水域、下側の集水溝（５）にあって該集水溝（５）に沿って設けた流入孔（９ａ）を有しない蓋により覆われる閉塞部を水路域となす側溝用ブロック又は排水性舗装道路用ブロック。
【請求項４】
集水溝（５）がブロック本体（２）の側壁（４）の上側から下側に向かって漸次奥深く凹陥した断面形状を有するとともに、側壁（４）に集水溝（５）を凹陥したことに起因するブロック本体（２）の集水溝（５）から上側部分のトラック荷重等の負載によるせん断破壊を防止するべく、上記集水溝（５）の奥部壁面が垂直方向と所定の傾斜角度（β）をなす傾斜面となされた請求項２又は３記載の側溝用ブロック又は排水性舗装道路用ブロック。
【請求項５】
内部に長手方向にわたる排水路（３）を有するブロック本体（２）の長手方向の少なくとも一接続端面（７）に、パッキン材（８）を排水路（３）の上部又は上部の一部を除く周囲を囲んで配するとともに、その両端部（８ａ）を外方に湾曲又は屈曲させてブロック本体（２）の両側壁（４）上部に延設して排水路（３）側に向け斜降状となし、パッキン材（８）の上記端部（８ａ）より上側に設けた集水溝（５）と排水路（３）を連通する導水路（６）を、溝状として接続端面（７）でパッキン材（８）の延設部上側で該延設部にほぼ沿って排水路（３）側に向け斜降状及び／又は孔状としてブロック本体（２）内で排水路（３）側に向け斜降状に設けた請求項４記載の側溝用ブロック。
【請求項６】
道路に少なくともその下部が埋設される道路用ブロックにおいて、ブロック本体（２）の長手方向の少なくとも一接続端面（７）に、１対のパッキン材（８）を離隔して配するとともに、各パッキン材（８）の下側端部（８ｃ）をブロック本体（２）の底面（１８）近傍に位置させ、且つ上側端部（８ａ）をブロック本体（２）の両側壁（４）に至るべく夫々相反する外方に延設して各パッキン材（８）全体を底面（１８）側に向け斜降状となす排水性舗装道路用ブロック。
【請求項７】
道路に少なくともその下部が埋設される道路用ブロックにおいて、ブロック本体（２）の長手方向の少なくとも一接続端面（７）に、１対のパッキン材（８）を離隔して配するとともに、各パッキン材（８）の下側端部（８ｃ）をブロック本体（２）の底面（１８）近傍に位置させ、上側端部（８ａ）をブロック本体（２）の両側壁（４）に至るべく夫々相反する外方に延設して各パッキン材（８）全体を底面（１８）側に向け斜降状となし、且つ一端が側壁（４）に、他端が底面（１８）にそれぞれ開口する溝状の導水路（６）を前記パッキン材（８）の上側及び／又は他側接続端面（７）にあって前記パッキン材（８）に相応する上側で底面（１８）側に斜降状に設けた排水性舗装道路用ブロック。
【請求項８】
ブロック本体（２）の長手方向の少なくとも一接続端面（７）に、１対のパッキン材（８）を離隔して配するとともに、各パッキン材（８）の下側端部（８ｃ）をブロック本体（２）の底面（１８）近傍に位置させ、上側端部（８ａ）をブロック本体（２）の両側壁（４）に至るべく夫々相反する外方に延設して各パッキン材（８）全体を底面（１８）側に向け斜降状となし、パッキン材（８）の上側端部（８ａ）より上側に設けた集水溝（５）に連通して上記底面（１８）に開口する導水路（６）を、溝状として接続端面（７）でパッキン材（８）の上側及び／又は孔状としてブロック本体（２）内で底面（１８）側に向け斜降状に設けた請求項２乃至４のいずれかに記載の排水性舗装道路用ブロック。
【請求項９】
集水溝（５）と連通する導水路（６）を、溝状としてブロック本体（２）の接続端面（７）及び／又は孔状としてブロック本体（２）内に、排水性舗装道路（２０）と反対側の側壁（４ａ）に開口すべく該側壁（４ａ）側に向け斜降状に設けた請求項２乃至４のいずれかに記載の排水性舗装道路用ブロック。
【請求項１０】
溝状の導水路（６）の下部の凹陥度合を側壁（４）に向かって漸次奥深くして導水路（６）の呑口部たる側壁（４）面における下部開口幅を広くした請求項１又は５又は７又は８又は９記載の側溝用ブロック又は排水性舗装道路用ブロック。
【請求項１１】
ブロック本体（２）の側壁（４）に長手方向にわたり凹陥された集水溝（５）に沿って設ける蓋であって、その上部に長手方向にわたって流入孔（９ａ）を断続的又は連続的に穿設し、該流入孔（９ａ）により形成される開口部を集水部（９ｃ）、又、それ以下の閉塞部を水路部（９ｄ）となす集水兼導水蓋。
【請求項１２】
集水溝（５）に沿って設ける蓋が、その下端部（９ｂ）を曲折した断面略Ｌ字状、又は、その上端部（９ｅ）と下端部（９ｂ）を曲折した断面略コ字状をなす板材からなるとともに、その垂直片上部に流入孔（９ａ）が穿設されてなる請求項１１記載の集水兼導水蓋。
【請求項１３】
上端部（９ｅ）及び／又は下端部（９ｂ）がその反発弾性に抗して集水溝（５）内に嵌め込まれることにより集水溝（５）に取り付け可能となされた請求項１２記載の集水兼導水蓋。
【発明の詳細な説明】
【０００１】
【発明の属する技術分野】
本発明は道路に埋設される側溝用ブロック及び道路に少なくともその下部が埋設される道路用ブロックと集水兼導水蓋に関するものであり、さらに詳しくは、排水性舗装道路において、舗装材内に滞留した雨水等の浸透水を効率的に集排水しうる側溝用ブロック及び排水性舗装道路用ブロックとこれらブロックに取付けられる集水兼導水蓋に関するものである。
【０００２】
【従来の技術】
一般に、舗装道路の路肩又は側帯（以下、側端部）には、主として降雨による表面水を路面から排水するための施設、更に詳しくは、箱型で暗渠状又は開渠状等の側溝用ブロック（内部に排水路を有する）や、Ｌ形こう又は現場打ちＬ形こうに供する縁石等の道路用ブロックが、その長手方向の接続端面を突き合わせて道路縦断方向に多数連結されるとともに、その全部又は下部を路面に埋設して設けられている。又、上記表面水の排水構造は、道路の横断勾配によりその側端部側に向かって流れる路面上の表面水を、道路の側端部において道路縦断方向に向け勾配が付された上記排水施設によって処理するものである。
【０００３】
しかして、その上面を集積せる表面水の流水部となす暗渠状の側溝用ブロックや道路用ブロックとしてのＬ形こうによる排水施設では、側端部に所定間隔をおいて設けた格子状等の落下穴を有する蓋付きブロック（以下、雨水ます）の落下穴から集積せる表面水を排水する。ここで、上記側溝用ブロック（暗渠状）にあっては内在せる排水路内に流下、排水されるようになされ、又、上記道路用ブロック（Ｌ形こう）にあっては、別途埋設された管渠等へ排水されている。更に、上記道路用ブロックとしての縁石類にあっては、所定間隔をもって介在させた下位中央に開口部を有して略門型をなす水抜きブロックの開口部から、その背後に別途埋設された管渠等へ排水されている。
【０００４】
ところで、近年、舗装道路においては、路面に降雨した雨水等を迅速に排除するために、不透水層の上に排水機能層を設け、上記雨水等を排水機能層に素早く浸透させて路面冠水を防止する所謂排水性舗装が行われるようになってきた。
しかし、該排水性舗装道路の側端部に上記従来の排水構造を採用しても、雨水等が不透水層の上側に滞留して速やかに路面下に浸透しないため、折角排水性舗装を施してもその排水処理が不十分となっていた。
【０００５】
又、上記排水性舗装道路における問題を解決するため、合成繊維糸を編み込んだメッシュ状の透水パイプやスプリングメッシュ製の透水パイプを上記道路の排水機能層に敷設し、不透水層の上側に滞留した雨水等を透水パイプで集水して側溝用ブロック内の排水路に排水したり、或いは側溝用ブロックの側壁に横溝を穿設し、該横溝とブロック内の排水路を連通する排水孔を設け（又、横溝内に上記透水パイプを挿入し）、かかる横溝を上記道路の排水機能層に位置させ、不透水層の上側に滞留した雨水等を横溝（又は透水パイプ）で集水して排水孔を介して側溝用ブロック内の排水路に排水するものが知られている。
【０００６】
【発明が解決しようとする課題】
しかしながら、上記透水パイプを排水性舗装道路の排水機能層に敷設する場合は、排水性舗装の前に予め透水パイプを位置決め、固定する等して敷設しておく必要があり、施工が複雑で手間がかかるとともに、舗装層の転圧時や道路改修に伴う開削時に透水パイプが破損しやすく施工性に問題点があった。
又、上記側壁に横溝を設けた側溝用ブロックや、かかる横溝内に透水パイプを挿入した側溝用ブロックは、横溝内に舗装材が詰まり、或いは透水パイプを詰めるために、折角の横溝が排水路として機能しないとともに、透水パイプを用いるものは、舗装材によってパイプの透孔が目詰まりしてその集水性が不十分となる上に、通水部たる内腔がメッシュ状若しくはスプリング状を形成する断続した透孔で凹凸起伏状となるために、通水部における粗度係数が大となって通水が流れ難く、更に、透水パイプ全体に多数の透孔を設けてなるために、折角パイプ内に流入した雨水等が排水機能層側へ再流出し、水路としての機能を発揮し難いという問題点があった。
【０００７】
即ち、側溝用ブロックにあっては、上記のように排水性舗装道路用のものがあるが、未だ施工性や集排水性が必ずしも十分とはいえず、又、Ｌ形こう、縁石、Ｕ形こう等の道路用ブロックにおいても特に排水性舗装道路を対象とした施工性及び集排水性の良好なものがなく、排水性舗装道路に適した施工性且つ集排水性の優れたブロックが要望されていた。
本発明はかかる現状に鑑みてなされたもので、排水性舗装道路に適した施工性且つ集排水性の優れた側溝用ブロック及び道路用ブロック、及びこれに合わせてこれらブロックに取付けられる集水兼導水蓋を提供することを課題としている。
【０００８】
【課題を解決するための手段】
上記課題を解決するため、本発明の側溝用ブロックは、請求項１記載の如く、道路に埋設される側溝用ブロックにおいて、内部に長手方向にわたる排水路３を有するブロック本体２の長手方向の少なくとも一接続端面７に、パッキン材８を排水路３の上部又は上部の一部を除く周囲を囲んで配するとともに、その両端部８ａを外方に湾曲又は屈曲させてブロック本体２の両側壁４上部に延設して排水路３側に向け斜降状となし、且つ側壁４に開口して排水路３に連通する溝状の導水路６を、前記パッキン材８の延設部上側で該延設部にほぼ沿って、及び／又は他側接続端面７にあって前記延設部に相応する上側で延設部相応部にほぼ沿って排水路３側に斜降状に設けたものである。
【０００９】
かかる本発明の側溝用ブロックによれば、ブロック本体２の長手方向の少なくとも一接続端面７に、パッキン材８を排水路３の上部又は上部の一部を除く周囲を囲んで配するとともに、その両端部８ａを外方に湾曲又は屈曲させてブロック本体２の両側壁４上部に延設して排水路３側に向け斜降状となすため、長手方向に隣接するブロック本体２の連結時に、その接続端面７を突き合わせ、該接続端面７間にパッキン材８を挟圧して連通すべき排水路３間での漏水防止を図るとともに、パッキン材８の介在によって接続端面７間においてパッキン材８の上側に流入用隙間１１を形成することができる。
【００１０】
従って、その施工はパッキン材８の端部８ａが排水性舗装道路２０の排水機能層２１と不透水層２２の境界Ｘ付近に位置するべくブロック本体２を連結して設置する簡単な作業でよく、上記パッキン材８の端部８ａ上縁より上位に排水性舗装道路２０の境界Ｘが位置して舗装施工されれば、降雨等によって排水性舗装道路２０の不透水層２２の上側に滞留した浸透水を、ブロック本体２の側壁４側に現出する上記流入用隙間１１から、又、不測の事態でブロック本体２の上面１７上に越流した表面水等を、その上面１７側に現出する上記流入用隙間１１からパッキン材８の上縁に沿って排水路３内に速やか且つ確実に導き排水処理できる。
【００１１】
更に、隣接するブロック本体２間において、ブロック本体２の熱変形、即ち、気温上昇による長手方向への膨張伸びを上記流入用隙間１１とパッキン材８で吸収、緩和できるので、隣接せるブロック相互を突き合わせてその継手部を目地モルタル等の結合材により一体化する従来の剛接合のように、ブロック本体２の接続端面７相互が競り合って端面破損を生じるようなことがない。
【００１２】
これに加えて、ブロック本体２の側壁４に開口して排水路３に連通する溝状の導水路６を、パッキン材８の延設部上側で該延設部にほぼ沿って、及び／又はパッキン材８を有していない他側接続端面７にあって前記延設部に相応する上側で延設部相応部にほぼ沿って排水路３側に斜降状に設けたために、降雨等によって排水性舗装道路２０の不透水層２２の上側に滞留した浸透水を側壁４に表出する接続端面７の導水路６から排水路３内に導き排水できるとともに、たとえ導水路６から浸透水が流出してもその下位にあるパッキン材８で受け止めて排水路３内に速やかに導き、的確に排水処理できる。
更に、両接続端面７に上記導水路６を設ければ、長手方向で互いに隣接する接続端面７間で夫々の導水路６が対向し合って大なる流水断面を得ることができ、その流量を増加させて迅速な排水処理を可能となす。
【００１３】
又、本発明の側溝用ブロック又は排水性舗装道路用ブロックは、請求項２記載の如く、道路に埋設される側溝用ブロック又は道路に少なくともその下部が埋設される道路用ブロックにおいて、ブロック本体２の排水性舗装道路２０に臨む側壁４に長手方向にわたって設ける集水溝５を排水性舗装道路２０の排水機能層２１と不透水層２２の境界Ｘ付近に位置せしめ、上記集水溝５に沿って設ける板材からなる集水兼導水蓋９の上部で上記排水機能層２１に臨む面に長手方向に多数の流入孔９ａを穿設し、且つ該流入孔９ａの最下端縁９ａ１を排水機能層２１と不透水層２２の境界Ｘ付近に位置させて集水溝５における上記流入孔９ａの最下端縁９ａ１より上側の開口部を集水域、又、それ以下の集水兼導水蓋９により覆われる閉塞部を水路域となすものである。
【００１４】
かかる本発明の側溝用ブロック又は排水性舗装道路用ブロックによれば、ブロック本体２の側壁４の集水溝５に沿って設ける板材からなる集水兼導水蓋９の上部で排水機能層２１に臨む面に長手方向に多数の流入孔９ａを穿設し、且つ該流入孔９ａの最下端縁９ａ１を排水機能層２１と不透水層２２の境界Ｘ付近に位置させて集水溝５における上記流入孔９ａの最下端縁９ａ１より上側の開口部を集水域、又、それ以下の集水兼導水蓋９により覆われる閉塞部を水路域となすために、排水性舗装道路２０の側端部に設置した際、降雨等によって不透水層２２の上側に滞留した浸透水を集水兼導水蓋９の多数の流入孔９ａで集水してその下位で貯溜、導水させることができる。この時浸透水を、境界Ｘ付近に位置する流入孔９ａの最下端縁９ａ１から速やかに流入孔９ａを通過させて集水溝５内へ落下、流入させると共に、かかる流入水を上記最下端縁９ａ１以下に形成される閉塞部をなす水路域によって排水性舗装道路２０側へ再流出させることなく、集水溝５に沿って確実に導水できる。
【００１５】
又、本発明の側溝用ブロック又は排水性舗装道路用ブロックは、請求項３記載の如く、道路に埋設される側溝用ブロック又は道路に少なくともその下部が埋設される道路用ブロックにおいて、ブロック本体２の排水性舗装道路２０に臨む側壁４に長手方向にわたって２条の集水溝５を上下に間隔をおいて設け、且つ上、下の集水溝５を連結する連絡路１３及び下側の集水溝５に連通する導水路６をブロック本体２に設け、少なくとも上側の集水溝５を排水性舗装道路２０の排水機能層２１に臨ませ、上側の集水溝５にあって該集水溝５に沿って設けた蓋に穿設した多数の流入孔９ａにより形成される開口部を集水域、下側の集水溝５にあって該集水溝５に沿って設けた流入孔９ａを有しない蓋により覆われる閉塞部を水路域となすものである。
【００１６】
かかる本発明の側溝用ブロック又は排水性舗装道路用ブロックによれば、ブロック本体２の側壁４に連絡路１３により連結した上、下に離隔せる２条の集水溝５を設け、上側の集水溝５にあって該集水溝５に沿って設けた蓋に穿設した多数の流入孔９ａにより形成される開口部を集水域、下側の集水溝５にあって該集水溝５に沿って設けた流入孔９ａを有しない蓋により覆われる閉塞部を水路域となすために、排水性舗装道路２０の側端部に設置した際、降雨等によって不透水層２２の上側に滞留した浸透水を、排水機能層２１に臨んで開口部をなす蓋の多数の流入孔９ａを通過させて上側の集水溝５で集水し、連絡路１３を介してその下側で閉塞された水路域をなす集水溝５や該下側の集水溝５に連通する導水路６に流入させ、又、下側の集水溝５に沿って導水させることができる。即ち、二層構造をなす２条の集水溝５の機能が夫々明確に区分され、ブロック本体２内への浸透水の効率的な集水（上側の集水溝５）及びブロック本体２外への流入水の確実な流出防止（下側の集水溝５）が集水溝５毎に行われるので、集水、導水及び排水効率が一層高められた好適な排水機構を得ることができる。
【００１７】
又、本発明の側溝用ブロック又は排水性舗装道路用ブロックは、請求項４記載の如く、上記請求項２又は３記載の側溝用ブロック又は排水性舗装道路用ブロックにおいて、集水溝５がブロック本体２の側壁４の上側から下側に向かって漸次奥深く凹陥した断面形状を有するとともに、側壁４に集水溝５を凹陥したことに起因するブロック本体２の集水溝５から上側部分のトラック荷重等の負載によるせん断破壊を防止するべく、上記集水溝５の奥部壁面が垂直方向と所定の傾斜角度βをなす傾斜面となされた構成を採用することができる。
かかる本発明の側溝用ブロック又は排水性舗装道路用ブロックによれば、集水溝５がブロック本体２の側壁４の上側から下側に向かって漸次奥深く凹陥した断面形状を有するとともに、集水溝５の凹設に起因するブロック本体２の集水溝５から上側部分のトラック荷重等の負載によるせん断破壊を防止するべく、上記集水溝５の奥部壁面が垂直方向と所定の傾斜角度βをなす傾斜面となされているために、集水溝５下部における流水断面が広く、流水が前記下部で流れやすく、その流量を増加させて導水、排水効率を高めることができるとともに、集水溝５上部ほどその凹陥度合いが浅く、その上側におけるブロック本体２の肉厚を分厚くなして、ブロック本体２の上面１７上に負載するトラック荷重Ｔにより発生するせん断力に効果的に抵抗し、その破損を未然に防止することができる。
【００１８】
又、本発明の側溝用ブロックは、請求項５記載の如く、上記請求項４記載の側溝用ブロックにおいて、内部に長手方向にわたる排水路３を有するブロック本体２の長手方向の少なくとも一接続端面７に、パッキン材８を排水路３の上部又は上部の一部を除く周囲を囲んで配するとともに、その両端部８ａを外方に湾曲又は屈曲させてブロック本体２の両側壁４上部に延設して排水路３側に向け斜降状となし、パッキン材８の上記端部８ａより上側に設けた集水溝５と排水路３を連通する導水路６を、溝状として接続端面７でパッキン材８の延設部上側で該延設部にほぼ沿って排水路３側に向け斜降状及び／又は孔状としてブロック本体２内で排水路３側に向け斜降状に設けた構成を採用することができる。
【００１９】
かかる本発明の側溝用ブロックによれば、ブロック本体２の長手方向の少なくとも一接続端面７に、パッキン材８を排水路３の上部又は上部の一部を除く周囲を囲んで配するとともに、その両端部８ａを外方に湾曲又は屈曲させてブロック本体２の両側壁４上部に延設して排水路３側に向け斜降状となすために、上記と同様に、ブロック本体２間におけるパッキン材８と流入用隙間１１によって排水性舗装道路２０の排水処理、及びブロック本体２の接続端面７の破損防止が図れる。
これに加えて、ブロック本体２の側壁４に設けた集水溝５と、内部の排水路３を連通する導水路６が、溝状として接続端面７でパッキン材８の延設部上側で該延設部にほぼ沿って排水路３側に向け斜降状及び／又は孔状としてブロック本体２内で排水路３側に向け斜降状に設けられているために、降雨等によって不透水層２２の上側に滞留した浸透水を側壁４の集水溝５から接続端面７の導水路６及び／又はブロック本体２内の導水路６を経由させて排水路３内に排水でき、上記集水兼導水蓋９による集水及び導水効果と相まって、その排水効率を高めることができる。
【００２０】
又、本発明の排水性舗装道路用ブロックは、請求項６記載の如く、道路に少なくともその下部が埋設される道路用ブロックにおいて、ブロック本体２の長手方向の少なくとも一接続端面７に、１対のパッキン材８を離隔して配するとともに、各パッキン材８の下側端部８ｃをブロック本体２の底面１８近傍に位置させ、上側端部８ａをブロック本体２の両側壁４に至るべく夫々相反する外方に延設して各パッキン材８全体を底面１８側に向け斜降状となすものである。
【００２１】
かかる本発明の排水性舗装道路用ブロックによれば、ブロック本体２の長手方向の少なくとも一接続端面７に、１対のパッキン材８を離隔して配するとともに、各パッキン材８の下側端部８ｃをブロック本体２の底面１８近傍に位置させ、且つ上側端部８ａをブロック本体２の両側壁４に至るべく夫々相反する外方に延設して各パッキン材８全体を底面１８側に向け斜降状となすために、上記と同様に、隣接するブロック本体２の接続端面７間に流入用隙間１１を形成でき、上記パッキン材８の上側端部８ａ上縁より上位に排水性舗装道路２０の境界Ｘが位置して舗装施工されれば、降雨等によって排水性舗装道路２０の不透水層２２の上側に滞留した浸透水を、ブロック本体２の側壁４側に現出する上記流入用隙間１１から、又、不測の事態でブロック本体２の上面１７上に越流した表面水等を、その上面１７側に現出する上記流入用隙間１１からパッキン材８の上縁に沿ってブロック本体２の底部側に速やか且つ確実に導き排水処理できる。
【００２２】
更に、上記と同様に、ブロック本体２間におけるパッキン材８と流入用隙間１１によって、ブロック本体２の熱変形による接続端面７の破損防止を図ることができる。
尚、本発明の排水性舗装道路用ブロックは、全層が不透水層２２からなる通常の道路舗装の側端部において、その上面１７を側こう（表面水の流水部）となす場合においても、上記と同様に、流入用隙間１１による上面１７間での排水処理機能及び接続端面７間での端面破損防止機能を発揮する。
【００２３】
又、本発明の排水性舗装道路用ブロックは、請求項７記載の如く、道路に少なくともその下部が埋設される道路用ブロックにおいて、ブロック本体２の長手方向の少なくとも一接続端面７に、１対のパッキン材８を離隔して配するとともに、各パッキン材８の下側端部８ｃをブロック本体２の底面１８近傍に位置させ、上側端部８ａをブロック本体２の両側壁４に至るべく夫々相反する外方に延設して各パッキン材８全体を底面１８側に向け斜降状となし、且つ一端が側壁４に、他端が底面１８にそれぞれ開口する溝状の導水路６を前記パッキン材８の上側及び／又は他側接続端面７にあって前記パッキン材８に相応する上側で底面１８側に斜降状に設けたものである。
【００２４】
かかる本発明の排水性舗装道路用ブロックによれば、上記と同様に、ブロック本体２間におけるパッキン材８と流入用隙間１１によって排水性舗装道路２０の排水処理、及びブロック本体２の接続端面７の破損防止を図ることができる。
これに加えて、一端がブロック本体２の側壁４に、又、他端が底面１８にそれぞれ開口する溝状の導水路６を、前記パッキン材８の上側及び／又は他側接続端面７にあって前記パッキン材８に相応する上側で底面１８側に斜降状に設けているために、降雨等によって排水性舗装道路２０の不透水層２２の上側に滞留した浸透水を側壁４に表出する接続端面７の導水路６からブロック本体２の底部側に導き排水できるとともに、たとえ導水路６から浸透水が流出してもその下位にあるパッキン材８で受け止めてブロック本体２の底部側に速やかに導き、的確に排水処理できる。
【００２５】
又、本発明の排水性舗装道路用ブロックは、請求項８記載の如く、上記請求項２乃至４のいずれかに記載の排水性舗装道路用ブロックにおいて、ブロック本体２の長手方向の少なくとも一接続端面７に、１対のパッキン材８を離隔して配するとともに、各パッキン材８の下側端部８ｃをブロック本体２の底面１８近傍に位置させ、上側端部８ａをブロック本体２の両側壁４に至るべく夫々相反する外方に延設して各パッキン材８全体を底面１８側に向け斜降状となし、パッキン材８の上側端部８ａより上側に設けた集水溝５に連通して上記底面１８に開口する導水路６を、溝状として接続端面７でパッキン材８の上側及び／又は孔状としてブロック本体２内で底面１８側に向け斜降状に設けた構成を採用することができる。
【００２６】
かかる本発明の排水性舗装道路用ブロックによれば、上記と同様に、ブロック本体２間におけるパッキン材８と流入用隙間１１によって排水性舗装道路２０の排水処理、及びブロック本体２の接続端面７の破損防止を図ることができる。
更に、ブロック本体２の側壁４に設けた集水溝５に連通してブロック本体２の底面１８に開口する導水路６を、溝状として接続端面７でパッキン材８の上側及び／又は孔状としてブロック本体２内で底面１８側に向け斜降状に設けているために、降雨等によって不透水層２２の上側に滞留した浸透水を側壁４の集水溝５から接続端面７の導水路６及び／又はブロック本体２内の導水路６を経由させてブロック本体２の底部側に排水でき、上記集水兼導水蓋９による集水及び導水効果と相まって、その排水効率を高めることができる。
【００２７】
又、本発明の排水性舗装道路用ブロックは、請求項９記載の如く、上記請求項２乃至４のいずれかに記載の排水性舗装道路用ブロックにおいて、集水溝５と連通する導水路６を、溝状としてブロック本体２の接続端面７及び／又は孔状としてブロック本体２内に、排水性舗装道路２０と反対側の側壁４ａに開口すべく該側壁４ａ側に向け斜降状に設けた構成を採用することができる。
【００２８】
かかる本発明の排水性舗装道路用ブロックによれば、ブロック本体２の集水溝５と連通する導水路６を、溝状としてブロック本体２の接続端面７及び／又は孔状としてブロック本体２内に、排水性舗装道路２０と反対側の側壁４ａに開口すべく該側壁４ａ側に向け斜降状に設けたために、降雨等によってその不透水層２２の上側に滞留した浸透水を側壁４の集水溝５から上記接続端面７及び／又はブロック本体２内の導水路６を経由させて、上記道路２０と反対側に導き排水でき、上記集水兼導水蓋９の集水、導水効果と相まって排水効率を高めることができて、雨水ますや水抜きブロックを要して路面の表面水だけを排水していたＬ形こうや縁石類等、従来の道路用ブロックでは使用に供し得ない排水性舗装道路２０で好適な排水処理が行える。
【００２９】
又、本発明の側溝用ブロック又は排水性舗装道路用ブロックは、請求項１０記載の如く、上記請求項１又は５又は７又は８又は９記載の側溝用ブロック又は排水性舗装道路用ブロックにおいて、溝状の導水路６の下部の凹陥度合を側壁４に向かって漸次奥深くして導水路６の呑口部たる側壁４面における下部開口幅を広くした構成を採用することができる。
かかる本発明の側溝用ブロック又は排水性舗装道路用ブロックによれば、溝状の導水路６の下部の凹陥度合を側壁４に向かって漸次奥深くして導水路６の呑口部たる側壁４面における下部開口幅を広くしたために、導水路６の側壁４側の端部、即ち、排水性舗装道路２０の不透水層２２の上側に滞留した浸透水の呑口部が広くなって、該浸透水を直接又は集水溝５から導水路６内に速やかに流入させることができ、排水効率を高めることができる。
ここで、導水路６が集水溝５と連通する場合は、集水溝５内を側壁４の長手方向に流下する浸透水が集水溝５と直交状の導水路６内へ流入しようとする際に生じる損失を上記側壁４側で拡開せる呑口部によって少なくすることができ、より効率的な導水が行える。
【００３０】
又、本発明の集水兼導水蓋は、請求項１１記載の如く、ブロック本体２の側壁４に長手方向にわたり凹陥された集水溝５に沿って設ける蓋であって、その上部に長手方向にわたって流入孔９ａを断続的又は連続的に穿設し、該流入孔９ａにより形成される開口部を集水部９ｃ、又、それ以下の閉塞部を水路部９ｄとなすものである。
【００３１】
かかる本発明の集水兼導水蓋によれば、その上部に長手方向にわたって流入孔９ａを断続的又は連続的に穿設し、該流入孔９ａにより形成される開口部を集水部９ｃ、又、それ以下の閉塞部を水路部９ｄとなすために、当該集水兼導水蓋を装着したブロック本体２をその側壁４の集水溝５が排水性舖装道路２０の排水機能層２１と不透水層２２の境界Ｘ付近に位置するべく施工した際、降雨等によって不透水層２２の上側に滞留した浸透水を、多数の流入孔９ａにより形成される集水部９ｃから速やかに集水溝５内に落下、流入させることができるとともに、かかる流入水を上記集水部９ｃ以下に形成される水路部９ｄで排水性舗装道路２０側に再流出させることなく集水溝５に沿って確実に導水できる。
【００３２】
又、本発明の集水兼導水蓋は、請求項１２記載の如く、上記請求項１１記載の蓋が、その下端部９ｂを曲折した断面略Ｌ字状、又は、その上端部９ｅと下端部９ｂを曲折した断面略コ字状をなす板材からなるとともに、その垂直片上部に流入孔９ａが穿設されてなる構成を採用することができる。
かかる本発明の集水兼導水蓋によれば、板材がその下端部９ｂを曲折した断面略Ｌ字状、又は、その上端部９ｅと下端部９ｂを曲折した断面略コ字状に形成されるために、集水兼導水蓋を薄手の板材から製作しても、その長手方向における歪や腰折れが防止されて寸法精度や強度面で安定し、又、曲折した下端部９ｂを集水溝５の内方に向け装着することにより、かかる下端部９ｂが集水溝５の下縁で上記水路部９ｄの平滑な底部となって、その粗度係数を減少せしめ、集水溝５内での流速、流量を増加させて導水、排水効率を高めることができる。
【００３３】
又、本発明の集水兼導水蓋は、請求項１３記載の如く、上記請求項１２記載の蓋が、その上端部９ｅ及び／又は下端部９ｂがその反発弾性に抗して集水溝５内に嵌め込まれることにより集水溝５に取り付け可能となされた構成を採用することができる。
かかる本発明の集水兼導水蓋によれば、上端部９ｅ及び／又は下端部９ｂがその反発弾性に抗して集水溝５内に嵌め込まれることにより集水溝５に取り付け可能となされているために、蓋の上端部９ｅ及び／又は下端部９ｂを集水溝５の内方に向けて嵌め込む簡単な作業で、集水兼導水蓋を容易且つ迅速に集水溝５に取り付けることができる。
【００３４】
【発明の実施の形態】
以下、図面を参照しながら本発明の実施形態について説明する。
図１は本発明の側溝用ブロックの一実施形態を示し、本実施形態の側溝用ブロック１は、横長状のコンクリート製ブロック本体２の内部に長手方向にわたる断面円形の排水路３を設け、ブロック本体２の上面１７に幅方向へ傾斜を付した暗渠型となされ、長手方向の一接続端面７に、パッキン材８を排水路３の上部を除く周囲を囲んで配するとともに、その両端部８ａを排水路３側に斜降状となすべく外方に湾曲させてブロック本体２の両側壁４上部に延設し、且つかかる両湾曲部８ｂ間の内法間隔を排水路３の幅（径）と略等しくし、上記接続端面７に、道路舗装に臨む一方の側壁４に開口して排水路３に連通する溝状の導水路６をパッキン材８の上側で、且つその端部８ａ及び湾曲部８ｂの縁形状にほぼ沿った略へ字状を呈して排水路３側に向け斜降状に設けてなる。
又、ブロック本体２の両接続端面７には、その対角位置に隣接する他の側溝用ブロック１との連結に供するボルト孔１０を穿設している。
尚、上記パッキン材８は接続端面７に直付けされてなるが、パッキン材８を上記のように配すべくパッキン材８の添着形状に沿う取付用浅溝が接続端面７に凹設されて、パッキン材８のずれ防止、取り付け容易性、水密性等を図るようにしてもよい。
【００３５】
又、上記溝状の導水路６は、ブロック本体２の側壁４側の端部において、後述する図１（ハ）及び図３に示したと同様に、その下部の凹陥度合を側壁４側に向かって漸次奥深くしている。即ち、導水路６の呑口部たる側壁４面における下部開口幅を広くして流水が流入しやすいようにするとともに、構造的に接続端面７に溝状の導水路６を凹陥したことで、後述する集水溝５と同様にブロック本体２の導水路６から上側の部分がトラック荷重等を受けてせん断破損しないようにしている。
尚、上記導水路６は、ブロック本体２の長手方向の一の接続端面７（パッキン材８を設けた接続端面）にのみ設けてもよいし、他の接続端面７にのみ設けてもよいし、或いは、図１（ハ）に示す如く、両方の接続端面７に設け、長手方向で互いに隣接する接続端面７間で夫々の導水路６を対面させてその流水断面を倍増させてもよい。
【００３６】
本実施形態の側溝用ブロック１は、長手方向に隣接する他の側溝用ブロック１との接続に際し、そのパッキン材８を有する一接続端面７とこれを有しない他接続端面７とを突き合わせて接続端面７間に上記パッキン材８を挟着するとともに、相連通するボルト孔１０にボルト１４を挿通して連結することにより、接続端面７間でパッキン材８が挟圧されて相連通する排水路３間の漏水防止が図られ、しかも、図１（ハ）に示す如く、パッキン材８の介在によって接続端面７相互が当接せず、かかる接続端面７間に形成されるパッキン材８より上側の隙間を流入用隙間１１となす。
又、図２に示すように、ブロック本体２の一方の側壁４を排水性舗装道路２０に臨ませ、導水路６の上端部とパッキン材８の一端部８ａの上縁間に排水性舗装道路２０の排水機能層２１と不透水層２２の境界Ｘが位置するべく設置された際には、降雨等によって不透水層２２の上側に滞留した浸透水Ｗを、排水機能層２１に臨む一方の側壁４に現出する上記流入用隙間１１から、又、不測の事態でブロック本体２の上面１７上に越流した表面水Ｗ′を、その上面１７間に表出する上記流入用隙間１１からパッキン材８の上縁に沿って速やか且つ確実に排水路３内に導き排水する排水処理に加えて、不透水層２２の上側に滞留した浸透水Ｗを接続端面７にあって、側壁４面にその呑口部が開口する導水路６から排水路３内に導き排水することができ、排水効率を高めることができる。
又、万一、導水路６から流水が流出しても、その下位にあるパッキン材８で受け止めて排水路３内に導き、的確な排水処理が行える。
【００３７】
又、パッキン材８の両端部８ａを排水路３側に斜降状となし、その両湾曲部８ｂ間の内法間隔を排水路３の幅（径）とほぼ等しくしたことから、上記浸透水Ｗや表面水Ｗ′を上記流入用隙間１１からパッキン材８の両端部８ａの上縁傾斜に沿わせるとともに、その両湾曲部８ｂで水切り滴下させて直接且つ速やかに排水路３内に流下して排水でき、排水効率をより一層向上させることができ好ましい。
更に、隣接する接続端面７間において、長手方向に多数連結されるブロック本体２の熱変形、即ち、気温上昇に伴って生じる長手方向への膨張伸びを上記流入用隙間１１とパッキン材８で吸収、緩和でき、接続端面７相互が競り合って端面破損を生じることがない。
【００３８】
図４は本発明の側溝用ブロックの他実施形態を示し、本実施形態の側溝用ブロック１は、上記図１に示す側溝用ブロックに、そのブロック本体２の側壁４上部（パッキン材８の上側端部８ａより上側）に長手方向にわたって水平状の集水溝５を設けるとともに、該集水溝５を接続端面７にある導水路６と連通させ、多数の流入孔９ａを有する集水兼導水蓋９を上記集水溝５に沿って設けてなる。
【００３９】
又、上記導水路６は、その集水溝５側の端部において、その下部の凹陥度合を図３（イ）乃至（ニ）に示す如く、集水溝５に向かって漸次奥深くしている。
即ち、集水溝５から導水路６に至る呑口部を広くし、集水溝５内を側壁４の長手方向に流下する浸透水Ｗが、集水溝５と直交状の導水路６内へ流入しようとする際に生じる損失を集水溝５側で拡開せる導水路６の呑口部で少なくして速やかに流入するようになすとともに、構造的に接続端面７に溝状の導水路６を凹陥したことで、後述する集水溝５と同様に、ブロック本体２の導水路６から上側の部分がトラック荷重等を受けてせん断破壊しないようにしている。
【００４０】
尚、上記導水路６の凹陥度合は、集水溝５側の端部において漸次奥深くしているが、これに限定されず、例えて排水路３との連設部から集水溝５との連設部にわたって漸次奥深く変化させてもよく、その変化開始位置は自由であり、又、全域にわたって奥深くしてもよいし、図３（ホ）及び（ヘ）に示す如く、集水溝５との連設部でベルマウス状又は隅切状に形成されてもよい。
更に、上記導水路６は、ブロック本体２の長手方向の一の接続端面７（パッキン材８を設けた接続端面）にのみ設けてもよいし、他の接続端面７にのみ設けてもよいし、或いは両方の接続端面７に設けてもよい。或いは又、上記導水路６は集水溝５からブロック本体２内を貫通して排水路３と連通する孔状となして設けてもよいし、接続端面７とブロック本体２内の両方に設けてもよい。
【００４１】
又、図３（イ）に示す如く、側壁４にある集水溝５は、その深さを側壁４の上側から下側に向かって漸次奥深く凹陥した断面形状をなし、その上部が浅く、又、その下部が深く凹陥されている。即ち、集水溝５の下部における流水断面を広く確保して、流水を集水溝５の下部で流れやすくし、その流量を増加させて速やかに導水、排水可能となすとともに、構造的に側壁４の上位に集水溝５を凹陥せしめたことで、ブロック本体２の集水溝５から上側の部分がトラック荷重を受けてせん断破壊しないようにしている。
更に詳しくは、図８（ハ）に示す如く、ブロック本体２の上面１７上に負載するトラック荷重Ｔの作用位置と上面１７からの集水溝５の凹陥位置に相応し、せん断想定角度αを４５度としてコンクリートに生じるせん断応力度（τ）が、許容せん断応力度（τａ）以下となる夫々のせん断長さＳにより（τ＝Ｔ／Ｓ，τ≦τａ，∴Ｓ≧Ｔ／τａ）、集水溝５の凹陥度合、即ち、奥部壁面の傾斜角度β（垂直方向となす角度）が定まってなる。
【００４２】
又、上記集水兼導水蓋９は、例えば図５に示すように、帯状の板材からなり、長手方向にわたる下端部９ｂが曲折されて断面Ｌ字状に形成され、長手方向にわたる垂直片上部に横長孔状をなして並列せる流入孔９ａ及びそれらの間で縦長孔状をなす流入孔９ａが多数穿設されている。
該集水兼導水蓋９は、その上部に多数穿設した流入孔９ａにより形成される開口部、詳しくは流入孔９ａの各最下端縁９ａ１より上側を集水部９ｃ、又、それ以下のＬ字状断面が連続する閉塞部を水路部９ｄとなし、図３（イ）及び図８に示す如く、その上端部をブロック本体２の集水溝５の上縁外面に設けた段部５ａに係止し、曲折した下端部９ｂを集水溝５の下部内壁５ｂ上に位置させるとともに、集水兼導水蓋９とブロック本体２とが集水兼導水蓋９の上縁部と段部５ａ間、下端部９ｂと下部内壁５ｂ間に設けられたシール材（接着材）１２によって固着されている。
【００４３】
本実施形態の側溝用ブロック１は、図６に示すように、長手方向に連結することによって上記と同様に、接続端面７間に形成されるパッキン材８より上側の隙間を流入用隙間１１となす。又、図７に示すように、ブロック本体２の一方の側壁４を排水性舖装道路２０に臨ませ、集水溝５が排水性舗装道路２０の排水機能層２１と不透水層２２の境界Ｘ付近に位置するべく設置された際には、降雨等によって不透水層２２の上側に滞留した浸透水Ｗやブロック本体２の上面１７上に越流した表面水Ｗ′を上記と同様に流入用隙間１１からパッキン材８の上縁に沿って排水路３内に排水することに加えて、上記浸透水Ｗを集水兼導水蓋９の流入孔９ａから集水溝５内に流入させ、該集水溝５と連通せる接続端面７の導水路６を経由させて排水路３内に導き排水できるとともに、たとえ流水が導水路６から流出しても、その下位にあるパッキン材８で受け止めて排水路３内に導き確実に排水できる。
【００４４】
又、特に、図８（イ）及び（ロ）に示すように、集水兼導水蓋９の垂直片上部の面、即ち、排水性舗装道路２０の排水機能層２１に臨む面に多数の流入孔９ａを穿設し、且つ該流入孔９ａの各最下端縁９ａ１を排水機能層２１と不透水層２２の境界Ｘ付近に位置させておけば、上記最下端縁９ａ１以上の開口部（集水部９ｃ）を集水域、それ以下の閉塞部（水路部９ｄ）を水路域とすることができ、不透水層２２の上面を辿って側溝用ブロック１側に至る浸透水Ｗを、上記境界Ｘ付近に位置する集水兼導水蓋９の流入孔９ａの最下端縁９ａ１から速やかに流入孔９ａを通過させて集水溝５内へ落下、流入させることができる。又、かかる流入水を上記閉塞部をなす水路域によって排水性舗装道路２０側へ再流出させることなく、集水溝５に沿って確実に導水路６へ流入させることができる。
【００４５】
ここで、強い降雨等により不透水層２２上で保水される浸透水Ｗの水位が上昇しても、前記流入孔９ａの最下端縁９ａ１以上を多数の流入孔９ａによって開口面積が広い集水域となしているため、ブロック本体２の長手方向全長で高効率な集水が可能となり路面での冠水が防止、緩和される。
又、図８（ロ）に示すように、薄手の鋼板材からＬ字状となされた集水兼導水蓋９の下端部９ｂを集水溝５の下部内壁５ｂ上に位置させたために、集水溝５における水路域の底部が下端部９ｂ、即ち、平滑な鋼製部材により形成されて、その粗度係数が小さくなり、集水溝５内での流速、流量を増加させて排水効率を高めることができる。
【００４６】
図９（イ）乃至（ハ）はそれぞれ本発明の排水性舗装道路用ブロックの一実施形態を示し、各実施形態の排水性舗装道路用ブロック１ａは、道路側端部への施工に際して、Ｕ字形等の排水路３を有する開渠型の側溝１９の上部に、蓋兼用のＬ形こうや溝蓋として設置されている。
まず、図９（イ）に示す排水性舗装道路用ブロック１ａは、蓋兼用のＬ形こうをなすブロック本体２の長手方向の一接続端面７に、１対のパッキン材８を離隔して配するとともに、各パッキン材８の下側端部８ｃをブロック本体２の底面１８近傍に位置させ、上側端部８ａを上記底面１８側に斜降状となすべく、それぞれ相反する外方に向け、一方は屈曲部８ｂを有した略へ字状、他方は直線状をなしてブロック本体２の両側壁４に延設し、各パッキン材８全体をそれぞれ上記底面１８側に向け斜降状としてなる。
【００４７】
上記図９（イ）に示す排水性舗装道路用ブロック１ａは、施工時に隣接するブロック本体２の接続端面７間において、上記と同様にパッキン材８の上側と排水路３の上側に流入用隙間１１が形成され、全層が不透水層２２からなる通常の道路舗装の側端部に施工した際には、接続端面７間の上部、即ち、ブロック本体２の上面１７どうしの突き合わせ部毎に表出する上記流入用隙間１１から上面１７上に集積されてその長手方向に流下する表面水Ｗ′を落下させるとともに、パッキン材８によってブロック本体２の底部側に導き、その下部にある側溝１９の排水路３内に排水することができる（尚、後述の図９（ハ）左側に示す溝蓋をなす排水性舗装道路用ブロック１ａが奏する作用も同様）。
又、上記図９（イ）及び後述の図９（ハ）左側に示す排水性舗装道路用ブロック１ａのブロック本体２の一方又は両方の側壁４を排水性舗装道路２０に臨ませ、パッキン材８の上側端部８ａの上縁が排水性舗装道路２０の排水機能層２１と不透水層２２の境界Ｘ付近に位置するべく設置された際には、降雨等によって不透水層２２の上側に滞留した浸透水を、排水機能層２１に臨む一方又は両方の側壁４に現出する流入用隙間１１から、又、不測の事態でブロック本体２の上面１７上に越流した表面水を、その上面１７間に現出する流入用隙間１１からパッキン材８の上縁に沿って速やか且つ確実にブロック本体２の底部側に導き、上記排水路３内に排水することができる（図示省略）。
【００４８】
次に、図９（ロ）に示す排水性舗装道路用ブロック１ａは蓋兼用のＬ形こうをなし、同図（ハ）に示す排水性舖装道路用ブロック１ａは上面１７が凹状の溝蓋をなす。
これらの各ブロック本体２は、パッキン材８の形状が若干異なる他は上記図９（イ）に示すものと同様にして、その接続端面７にパッキン材８が配される。而して、同図（ロ）に示す蓋兼用のＬ形こうをなすブロック本体２の一方の側壁４及び同図（ハ）の右側に示す溝蓋をなすブロック本体２の一方又は両方の側壁４には、上記パッキン材８の上側端部８ａよりも上側で長手方向にわたって水平状に集水溝５が設けられ、該集水溝５と連通する導水路６を、ブロック本体２の長手方向の少なくとも一の接続端面７に、パッキン材８の上側で溝状としてブロック本体２の底面１８に開口すべく該底面１８側に斜降状に設け、多数の流入孔９ａを有する上記と同様の集水兼導水蓋９を上記集水溝５に沿って設けてなる。
尚、上記導水路６は、溝状としてブロック本体２の長手方向の一の接続端面７（パッキン材８を設けた接続端面）にのみ設けてもよいし、他の接続端面７にのみ（パッキン材８に相応する上側に）設けてもよいし、両方の接続端面７に設けてもよいし、又、ブロック本体２内を貫通する孔状として設けてもよいし、或いはこれらの組合せとして設けてもよい。
【００４９】
上記図９（ロ）及び（ハ）の右側に示した各排水性舗装道路用ブロック１ａは、道路側端部への施工に際して、ブロック本体２の一方又は両方の側壁４を排水性舗装道路２０に臨ませ、集水溝５が排水性舗装道路２０の排水機能層２１と不透水層２２の境界Ｘ付近に位置するべく設置されれば、降雨等によって不透水層２２の上側に滞留した浸透水Ｗやブロック本体２の上面１７上に越流した表面水Ｗ′を、上記と同様にして、流入用隙間１１からパッキン材８の上縁に沿ってブロック本体２の底部側、即ち側溝１９の排水路３内に排水することに加えて、上記浸透水Ｗを排水機能層２１に臨む集水兼導水蓋９の流入孔９ａから集水溝５内に流入させ、該集水溝５と連通せる接続端面７の導水路６を経由させてブロック本体２の底部側に導き、排水路３内に排水できるとともに、たとえ流水が導水路６から流出しても、その下位にあるパッキン材８で受け止めてブロック本体２の底部側に導き確実に排水できる。
【００５０】
又、特に、上記図８に示したと同様に、集水兼導水蓋９の垂直片上部の面、即ち、排水性舖装道路２０の排水機能層２１に臨む面に多数の流入孔９ａを穿設し、且つ該流入孔９ａの最下端縁９ａ１を排水機能層２１と不透水層２２の境界Ｘ付近に位置させておけば、上記と同様の効果が得られ好ましい。
尚、上記図９（イ）乃至（ハ）に示す各排水性舗装道路用ブロック１ａにおいて、パッキン材８をその上側端部８ａからブロック本体２の底面１８側に向け斜降状にしたことから、上記浸透水Ｗや表面水Ｗ′をパッキン材８の上縁に沿わせて速やかにブロック本体２の底部側に排水できる。
尚又、集水溝５、導水路６の形状も、上記側溝用ブロックの実施形態において述べたと同様になされていると、同様の効果が得られる。
【００５１】
図１０は本発明の排水性舗装道路用ブロックの一実施形態を示し、本実施形態の排水性舗装道路用ブロック１ａは、歩車道境界としての縁石をなすブロック本体２の側壁４下部に長手方向にわたって水平状の集水溝５を設け、上記集水溝５と連通する導水路６をブロック本体２内を貫通する孔状として、又、長手方向の少なくとも一の接続端面７に溝状として（図示省略）、それぞれの導水路６を集水溝５と反対側の側壁４ａに開口すべく該側壁４ａ側に向け斜降状に設け、多数の流入孔９ａを有する上記と同様の集水兼導水蓋９を上記集水溝５に沿って設けてなる。
【００５２】
図１１は本発明の排水性舗装道路用ブロックの他実施形態を示し、本実施形態の排水性舗装道路用ブロック１ａは、街渠としてのＬ形こうをなすブロック本体２の側壁４に上記と同様に長手方向にわたって水平状の集水溝５を設け、上記集水溝５と連通する導水路６を長手方向の少なくとも一の接続端面７に溝状として、又、ブロック本体２内を貫通する孔状として（図示省略）、それぞれの導水路６を集水溝５と反対側の側壁４ａに開口すべく該側壁４ａ側に向け斜降状に設け、多数の流入孔９ａを有する上記と同様の集水兼導水蓋９を上記集水溝５に沿って設けてなる。
【００５３】
上記図１０及び図１１に示す排水性舗装道路用ブロック１ａは、図４に示す側溝用ブロック１とそのブロック本体２の全体外観形状、排水路３がない点、導水路６を一側壁４から反対側の側壁４ａに向かって斜降状に設けた点で相違する他は、図４に示す側溝用ブロック１とほぼ同旨のものである。
尚、上記導水路６は、既に述べたと同様に、溝状としてブロック本体２の長手方向の一方の接続端面７にのみ設けてもよいし、両方の接続端面７に設けてもよいし、又、ブロック本体２内を貫通する孔状として設けてもよいし、或いはこれらの組合せとして設けてもよい。更に、図１１に示す如く、溝状の導水路６の下位で、且つ導水路６に沿うパッキン材８が接続端面７に設けられてもよい。
【００５４】
かかる図１０及び図１１に示す排水性舗装道路用ブロック１ａは、道路側端部への施工に際してブロック本体２の側壁４を排水性舗装道路２０に臨ませ、集水溝５が排水性舗装道路２０の排水機能層２１と不透水層２２の境界Ｘ付近に位置するべく設置されれば、降雨によって不透水層２２の上側に滞留した浸透水Ｗを集水兼導水蓋９の流入孔９ａから集水溝５内に流入させ、該集水溝５と連通せる導水路６を経由させて排水性舗装道路２０と反対側の側面４ａ側に導水し、別途埋設された排水施設（図示省略）へ排水することができる。
又、Ｌ形こうにあって、溝状の導水路６の下位にパッキン材８を添着した場合は、接続端面７間の流入用隙間１１からその上面１７上の表面水Ｗ′をも排水処理できる。
特に、上記図８に示したと同様に、集水兼導水蓋９の垂直片上部の面、即ち、排水性舗装道路２０の排水機能層２１に臨む面に多数の流入孔９ａを穿設し、且つ該流入孔９ａの最下端縁９ａ１を排水機能層２１と不透水層２２の境界Ｘ付近に位置させておけば、上記と同様の効果が得られ好ましい。
【００５５】
尚、本発明の側溝用ブロック１、排水性舗装道路用ブロック１ａ及び集水兼導水蓋９は、上記各実施形態のものに限定されることなく、その各部の形状、構造等は本発明の意図する範囲内で適宜設計変更可能である。
例えば、側溝用ブロック１を構成するブロック本体２は、各種外郭形状の暗渠型の他、図１２に示す如き上面１７と排水路３を連通する狭幅の開口部１５がその中央に設けられ、上部片側に長手方向にわたる縁石部１６を突設一体化した開渠型、或いは図１３に示す如き落し蓋式や無蓋で上部が開口式のＵ形こう等の他、必要に応じてその上面に蓋体を設ける下端開放の門型（所望深さの底部をブロック内で現場打ちコンクリートにより形成する、通称可変側溝）であってもよく、その排水路３の流水断面形状も円形の他、卵形、だ円形、方形、多角形等種々の形状であってもよい。又、排水性舗装道路用ブロック１ａを構成するブロック本体２についても、種々の形状の縁石、Ｌ形こうの他、道路用ブロックと称され、道路の側端部において道路舗装に臨んで設置されるものであればよい。
【００５６】
又、ブロック本体２の接続端面７に設けたパッキン材８についても、側溝用ブロックにあっては、上記排水路３の上部又は上部の一部を除く周囲を囲んでその両端部８ａを外方に湾曲又は屈曲させてブロック本体２の両側壁４に延設すればよく、例えば図１３右側に示すように、Ｕ形こうの排水路３に沿わせて配しその端部８ａを側壁４側に延設してもよく、その他、排水路３の流水断面形状に合わせて適宜形状に配すればよい。
該パッキン材８の端部８ａは、排水路３側に向け斜降状となるように外方に適宜湾曲又は屈曲してブロック本体２の側壁４上部に延設され、その湾曲又は屈曲部８ｂ間の内法間隔も排水路３の幅（径）とほぼ等しいか小さいと、上述したように端部８ａからの表面水、浸透水等を湾曲又は屈曲部８ｂで水切り、滴下させて直接的に排水路３に流下でき好ましい。
【００５７】
又、排水性舗装道路用ブロックにおいて、１対離隔して設けたパッキン材８は、各パッキン材８の下側端部８ｃをブロック本体２の底面１８近傍に位置させ、上側端部８ａをブロック本体２の両側壁４に至るべく夫々相反する外方に延設してパッキン材８全体が底面１８側に向け斜降状となされればよく、各パッキン材８は、適宜湾曲又は屈曲されたり、或いは傾斜状の直線状等をなしたりして、対称で対をなす形状或いは非対称で対をなす形状等適宜形状であればよい。
該パッキン材８の上側端部８ａは、上述したように、ブロック本体２の底面１８側に向け斜降状として外方に延設され、パッキン材８の形状が上記図９（イ）の一方に示す如き傾斜状の直線状、図９（イ）の他方及び（ハ）に示す如き屈曲状、図９（ロ）に示す如き湾曲状等適宜形状となされて底面１８側に向け斜降状となされれば、夫々下側端部８ｃにおける水切れがよく好ましい。
更に、側溝用ブロック及び排水性舗装道路用ブロックにおいて、上記パッキン材８の端部８ａの先端も側壁４の付近に位置するべく延設されていれば側壁４と合致してもよいし、側壁４から突出又は控えていてもよい。又、パッキン材８はブロック本体２の長手方向の両接続端面７のうち、どちら側に設けてもよいし、或いは、両側に設けてもよい。
【００５８】
又、ブロック本体２の側壁４に設けた集水溝５、接続端面７に設けた溝状の導水路６の流水断面形状も、下部が奥深くなされた種々の形状の他、略矩形状、略台形状、略半円形状、略半だ円形状等種々の形状であってもよいし、ブロック本体２内に設けた孔状の導水路６の流水断面形状も円形、だ円形、方形、多角形等種々の形状であってもよい。
【００５９】
又、導水路６は、上記１対のパッキン材８を有する排水性舗装道路用ブロックにあっては、例えば図９（ロ）及び同図（ハ）の右側に示す如く、集水溝５に連通しているが、ブロック本体２の側壁４に集水溝５を設けずに、導水路６の一端を直接上記側壁４に開口するようになし、前出の図１及び図２に示す側溝用ブロックと同様にして、上記浸透水や表面水が導水路６に直接流入するようにしてもよい（図示省略）。
又、集水溝５は必ずしも水平状でなくともよいし、又、ブロック本体２の両側壁４に設けてもよく、これに伴い導水路６も各集水溝５に連通すべく設けることにより、両側壁４を排水性舗装道路２０に臨ませて施工することもできる。
【００６０】
又、集水溝５はブロック本体２の側壁４に複数条設けられてもよく、例えば図１４に示す場合は、側壁４に上、下間隔をおいて平行に２条設けられ、下側の集水溝５に、接続端面７で溝状をなす導水路６及び／又はブロック本体２内で孔状をなす導水路６が連通されるとともに、上、下の集水溝５を連結する連絡路１３が、同図（イ）の場合には孔状としてブロック本体２内及び／又は溝状として接続端面７に設けられ、同図（ロ）及び（ハ）の場合には溝状として側壁４面の長手方向端部等適宜箇所に適宜数設けられ、少なくとも上側の集水溝５が排水性舗装道路２０の排水機能層２１に臨むようになされて、排水機能層２１と不透水層２２の境界Ｘより上位にある集水兼導水蓋９の流入孔９ａから上側の集水溝５、連絡路１３（及び下側の集水溝５）を経て浸透水Ｗが導水路６に流入されるものである。
【００６１】
即ち、この場合において、上側の集水溝５が流入孔９ａを有した集水兼導水蓋９による集水部９ｃ（集水域）、又、下側の集水溝５が流入孔９ａを有しない蓋９′による水路部９ｄ（水路域）となり、夫々二層構造をなすものである。
又、図１４（ロ）の場合には、連絡路１３においてその開口を覆うべく設けた蓋９″に多数の流入孔９ａが穿設されており、施工時の舗装厚さ誤差や施工後の地盤沈下等により排水性舗装道路２０の排水機能層２１と不透水層２２との境界Ｘが所定位置から下方に移行した際に、連絡路１３における上記移行した境界Ｘより上位に現出する多数の流入孔９ａによる開口部も集水部９ｃ（集水域）となったり、或いは施工後にブロック本体２の側壁４と排水性舗装道路２０との間に隙間が生じた際に、該隙間に臨む連絡路１３における上記流入孔９ａによる開口部も集水部９ｃ（集水域）となり、上記排水性舗装道路２０の各不具合に対しても効果的な排水処理を可能としている。
又、同図（ハ）の場合には、連絡路１３は、上記境界Ｘの下位で排水性舗装道路２０の不透水層２２に臨み、その開口を覆うべく設けた流入孔９ａを有しない蓋９″により閉塞された水路部９ｄ（水路域）となる。
尚、上記連絡路１３に設けた蓋９″は、上、下の集水溝５に設けた集水兼導水蓋９や蓋９′と別体となされてもよいし、或いはこれらと一体化されてもよい。
【００６２】
又、集水溝５に設ける集水兼導水蓋９は、上記図５に示したものの他、例えば図１５に示す下端部９ｂを曲折した断面Ｌ字状や、図１６に示す上端部９ｅと下端部９ｂを曲折した断面略コ字状をなす板材からなり、その垂直片上部に長手方向にわたって流入孔９ａを断続的又は連続的に穿設し、該流入孔９ａにより形成される開口部を集水部９ｃ、又、それ以下の閉塞部を水路部９ｄとなすものであれば、薄手の板材から製作されても曲折せる上端部９ｅや下端部９ｂにより長手方向の歪や腰折れが防止されて蓋自体の寸法や強度が安定するとともに、上述したようにブロック本体２の集水溝５における集水及び導水効果を高め好ましい。
【００６３】
又、集水兼導水蓋９は、下端部９ｂをほぼ直角状に曲折しているが、該下端部９ｂの形状は自由であり、例えば図１７（イ）に示すように上向き傾斜状や、図１６（ニ）に示すように逆ヘ字状に曲折されたり、図１６（ヘ）及び図１７（ロ）に示すように、その末端に上向き片を有する略箱状に曲折されてもよい。このように下端部９ｂが曲折されていると上述したように集水溝５内での排水効率を高めることができ好ましいが、図１７（ハ）に示すように曲折上端部９ｅや下端部９ｂがない直板状となされたり、図１７（ニ）及び（ホ）に示すように全体が湾曲や屈曲された形状となされてもよい。
更に、円形や箱形等のパイプを、その一部が側面４面から外突する如く集水溝５へ固着し、該外突部を排水機能層２１と不透水層２２の境界Ｘ付近に位置せしめて、その境界Ｘより上位の外突部にのみ流入孔９ａを適宜に穿設することで、かかるパイプ体を集水兼導水蓋９となすことも可能である（図１７（ヘ）に円形パイプによる集水兼導水蓋９を例示）。
【００６４】
又、流入孔９ａの形状についても、上記図５に示すものに限らず、図１５（イ）、（ハ）、（ホ）及び（ト）や図１６（イ）、（ハ）及び（ホ）に示すもの、その他、だ円形、三角形、多角形、Ｔ字形、Ｙ字形等適宜形状であればよいとともに、その穿設箇所も集水部９ｃを形成すべく少なくとも排水性舗装道路２０の排水機能層２１に臨む面となされておればよい。又、該流入孔９ａの開口寸法は、排水機能層２１を構成する排水性混合物の粗骨材（呼び名；５号又は６号又は７号）の主たる粒度（粒径）より小さいと、排水機能層２１の施工時にその粗骨材が流入孔９ａから集水溝５内へ侵入せず、集水溝５が閉塞することなく好ましいが、これに限定されない。
【００６５】
又、集水兼導水蓋９は、雨水や路面凍結防止剤（液状の塩化物）との接触が多く、ブロック本体２と舗装材間に埋め殺されて取り替え補修が困難なため、ステンレス鋼板製が好ましいが、要求性能（耐曲げ引張り性、耐食性、耐熱性等）を満たす普通鋼板製やプラスチック製等適宜材質のものであればよい。
さらに、集水兼導水蓋９の集水溝５への取り付け方法も、上記接着方法の他、例えば集水兼導水蓋９の下端部９ｂと集水溝５の下部内壁５ｂ間に隙間を設け、該隙間に定形の弾性パッキンを装填して、該パッキンの弾性反発力によって集水兼導水蓋９の上端縁を集水溝５の上部の段部５ａ等へ押圧して固定したり、漏水防止用パッキン材を介してボルト止めする等適宜方法が採用されればよいし、更に又、集水兼導水蓋９は、ブロック本体２に予め固着されていてもよいし、或いは、施工現場でブロック本体２に後付けされてもよい。
【００６６】
さらに又、集水兼導水蓋９の集水溝５への取り付けに関し、集水兼導水蓋９の上端部９ｅ及び／又は下端部９ｂがその反発弾性に抗して集水溝５内に嵌め込まれるようになされていると、その取り付けが容易且つ迅速にでき好ましい。
例えば、図１６（ニ）に示す集水兼導水蓋９は、その上端部９ｅ及び下端部９ｂがやや外広がり状で末端が斜めに曲折されたヘ字状や逆ヘ字状となされて、その垂直片との付根部を支点とした反発弾性を有しており、図１８（イ）に示す如く、その上端部９ｅ及び下端部９ｂを集水溝５の内方に向けるとともに、末端の曲折部をガイドにして強制的に集水溝５内に嵌め込むことにより、その反発弾性に抗して上端部９ｅ及び下端部９ｂが集水溝５の上、下内壁に圧着されて取り付けられる。
【００６７】
又、図１８（ロ）の場合は、集水溝５の下部内壁５ｂ及び上部内壁が内方で拡開する傾斜面（アリ溝状）をなし、集水兼導水蓋９の上端部９ｅ及び下端部９ｂを上記と同様に、その反発弾性に抗して強制的に集水溝５内に嵌め込むことにより、下端部９ｂと下部内壁５ｂ、上端部９ｅと上部内壁との圧着によって容易に外れないように取り付けられる。
又、図１８（ハ）の場合は、断面Ｌ字状の集水兼導水蓋９において、その上部に流入孔９ａを穿設するべく板材を一部切断し、これを集水溝５の内側に曲折してなる切り起こし片９ｅ′と下端部９ｂとを上記と同様に、その反発弾性に抗して強制的に集水溝５内に嵌め込むことにより、切り起こし片９ｅ′と下端部９ｂが集水溝５の上部内壁及び下部内壁５ｂに圧着されて取り付けられてなる。
【００６８】
【発明の効果】
以上詳述した如く、本発明の側溝用ブロックは、ブロック本体の長手方向の少なくとも一接続端面に、パッキン材を排水路の上部又は上部の一部を除く周囲を囲んで配するとともに、その両端部を外方に湾曲又は屈曲させてブロック本体の両側壁上部に延設して排水路側に向け斜降状となすために、長手方向に隣接するブロック本体の連結時に、その接続端面を突き合わせ、該接続端面間にパッキン材を挟圧して連通すべき排水路間での漏水防止を図るとともに、パッキン材の介在によって接続端面間においてパッキン材の上側に流入用隙間を形成することができる。
従って、その施工はパッキン材の端部が排水性舗装道路の排水機能層と不透水層の境界付近に位置するべくブロック本体を連結して設置する簡単な作業でよく、上記パッキン材の端部上縁より上位に排水性舗装道路の境界が位置して舗装施工されれば、降雨等によって排水性舗装道路の不透水層の上側に滞留した浸透水を、ブロック本体の側壁に現出する上記流入用隙間から、又、不測の事態でブロック本体の上面上に越流した表面水等を、その上面側に現出する上記流入用隙間からパッキン材の上縁に沿って排水路内に速やか且つ確実に導き排水処理でき、排水効率がよい。
【００６９】
更に、隣接するブロック本体間において、ブロック本体の熱変形、即ち、気温上昇に起因する長手方向への膨張伸びを上記流入用隙間とパッキン材で吸収、緩和できるので、隣接せるブロック相互を突き合わせてその継手部を目地モルタル等の結合材により一体化する従来の剛接合のように、ブロック本体の接続端面相互が競り合って端面破損を生じるようなことがない。
【００７０】
又、上記構成に加えてブロック本体の側壁に開口して排水路に連通する溝状の導水路を、前記パッキン材の延設部上側で該延設部にほぼ沿って、及び／又は他側接続端面にあって前記延設部に相応する上側で延設部相応部にほぼ沿って排水路側に斜降状に設けたために、降雨等によって排水性舗装道路の不透水層の上側に滞留した浸透水を側壁に表出する接続端面の導水路から排水路内に導き排水できるとともに、たとえ導水路から浸透水が流出してもその下位にあるパッキン材で受け止めて排水路内に速やかに導き、的確に排水処理できる。
又、両接続端面に上記導水路を設ければ、長手方向で互いに隣接する接続端面間で夫々の導水路が対向し合って大なる流水断面を得ることができ、その流量を増加させて迅速な排水処理を可能となす。
【００７１】
又、本発明の側溝用ブロック又は排水性舗装道路用ブロックは、ブロック本体の側壁の集水溝に沿って設ける板材からなる集水兼導水蓋の上部で排水機能層に臨む面に長手方向に多数の流入孔を穿設し、且つ該流入孔の最下端縁を排水機能層と不透水層の境界付近に位置させて集水溝における上記流入孔の最下端縁より上側の開口部を集水域、又、それ以下の集水兼導水蓋により覆われる閉塞部を水路域となすために、排水性舗装道路の側端部に設置した際、降雨等によって不透水層の上側に滞留した浸透水を集水兼導水蓋の多数の流入孔で集水してその下位で貯溜、導水させることができる。この時浸透水を、境界付近に位置する流入孔の最下端縁から速やかに流入孔を通過させて集水溝内へ落下、流入させるとともに、かかる流入水を上記最下端縁以下に形成される閉塞部をなす水路域によって排水性舗装道路側へ再流出させることなく、集水溝に沿って確実に導水できる。
【００７２】
又、本発明の側溝用ブロック又は排水性舗装道路用ブロックは、ブロック本体の側壁に連絡路により連結した上、下に離隔せる２条の集水溝を設け、少なくとも上側の集水溝を排水性舗装道路の排水機能層に臨ませ、上側の集水溝にあって該集水溝に沿って設けた蓋に穿設した多数の流入孔により形成される開口部を集水域、下側の集水溝にあって該集水溝に沿って設けた流入孔を有しない蓋により覆われる閉塞部を水路域となすために、排水性舗装道路の側端部に設置した際、降雨等によって不透水層の上側に滞留した浸透水を、排水機能層に臨んで開口部をなす蓋の多数の流入孔を通過させて上側の集水溝で集水し、連絡路を介してその下側で閉塞された水路域をなす集水溝や該下側の集水溝に連通する導水路に流入させ、又、下側の集水溝に沿って導水させることができる。
即ち、二層構造をなす２条の集水溝の機能が夫々明確に区分され、ブロック本体内への浸透水の効率的な集水（上側の集水溝）及びブロック本体外への流入水の確実な流出防止（下側の集水溝）が各集水溝毎に行われるので、集水、導水及び排水効率が一層高められた好適な排水機構を得ることができる。
【００７３】
又、本発明の側溝用ブロック又は排水性舗装道路用ブロックは、集水溝がブロック本体の側壁の上側から下側に向かって漸次奥深く凹陥した断面形状を有するとともに、側壁に集水溝を凹陥したことに起因するブロック本体の集水溝から上側部分のトラック荷重等の負載によるせん断破壊を防止するべく、上記集水溝の奥部壁面が垂直方向と所定の傾斜角度をなす傾斜面となされたために、集水溝下部における流水断面が広く、流水が前記下部で流れやすく、その流量を増加させて導水、排水効率を高めることができるとともに、集水溝上部ほどその凹陥度合いが浅く、その上側におけるブロック本体の肉厚を分厚くなして、ブロック本体の上面上に負載するトラック荷重により発生するせん断力に効果的に抵抗し、その破損を未然に防止することができる。
【００７４】
又、本発明の側溝用ブロックは、ブロック本体の長手方向の少なくとも一接続端面に、パッキン材を排水路の上部又は上部の一部を除く周囲を囲んで配するとともに、その両端部を外方に湾曲又は屈曲させてブロック本体の両側壁上部に延設して排水路側に向け斜降状となし、ブロック本体の側壁にある集水溝とその内部の排水路とを連通する導水路を、溝状として接続端面でパッキン材の延設部上側で該延設部にほぼ沿って排水路側に向け斜降状及び／又は孔状としてブロック本体内で排水路側に向け斜降状に設けたために、上記と同様に、ブロック本体間におけるパッキン材と流入用隙間によって排水性舗装道路の排水処理、及びブロック本体の接続端面の破損防止を図ることができ、しかも、降雨等によって不透水層の上側に滞留した浸透水を側壁の集水溝から接続端面の導水路及び／又はブロック本体内の導水路を経由させて排水路内に排水でき、上記集水兼導水蓋による集水及び導水効果と相まって、その排水効率を高めることができ、たとえ溝状の導水路から浸透水が流出してもその下位にあるパッキン材で受け止めて排水路内に速やかに導き、的確に排水処理できる。
【００７５】
又、本発明の排水性舗装道路用ブロックは、ブロック本体の長手方向の少なくとも一接続端面に、１対のパッキン材を離隔して配するとともに、各パッキン材の下側端部をブロック本体の底面近傍に位置させ、上側端部をブロック本体の両側壁に至るべく夫々相反する外方に延設して各パッキン材全体を底面側に向け斜降状となすために、上記と同様に、隣接するブロック本体の接続端面間に流入用隙間を形成でき、上記パッキン材の上側端部上縁より上位に排水性舗装道路の境界が位置して舗装施工されれば、降雨等によって排水性舗装道路の不透水層の上側に滞留した浸透水を、ブロック本体の側壁側に現出する上記流入用隙間から、又、不測の事態でブロック本体の上面上に越流した表面水等を、その上面側に現出する上記流入用隙間からパッキン材の上縁に沿ってブロック本体の底部側に速やか且つ確実に導き排水処理でき、排水効率がよい。
更に、上記と同様に、ブロック本体間におけるパッキン材と流入用隙間によって、ブロック本体の熱変形による接続端面の破損防止を図ることができる。
又、全層が不透水層からなる通常の道路舗装の側端部において、その上面を側こう（表面水の流水部）となす場合においても、上記と同様に、流入用隙間による上面間での排水処理機能及び接続端面間での端面破損防止機能を発揮する。
【００７６】
又、本発明の排水性舗装道路用ブロックは、ブロック本体の長手方向の少なくとも一接続端面に、１対のパッキン材を離隔して配するとともに、各パッキン材の下側端部をブロック本体の底面近傍に位置させ、上側端部をブロック本体の両側壁に至るべく夫々相反する外方に延設して各パッキン材全体を底面側に向け斜降状となし、且つ一端が側壁に、他端が底面にそれぞれ開口する溝状の導水路を前記パッキン材の上側及び／又は他側接続端面にあって前記パッキン材に相応する上側で底面側に斜降状に設けられているために、上記と同様に、ブロック本体間におけるパッキン材と流入用隙間によって排水性舗装道路の排水処理、及びブロック本体の接続端面の破損防止を図ることができる。
これに加えて、降雨等によって排水性舗装道路の不透水層の上側に滞留した浸透水を側壁に表出する接続端面の導水路からブロック本体の底部側に導き排水できるとともに、たとえ導水路から浸透水が流出してもその下位にあるパッキン材で受け止めてブロック本体の底部側に速やかに導き、的確に排水処理できる。
【００７７】
又、本発明の排水性舗装道路用ブロックは、ブロック本体の長手方向の少なくとも一接続端面に、１対のパッキン材を離隔して配するとともに、各パッキン材の下側端部をブロック本体の底面近傍に位置させ、上側端部をブロック本体の両側壁に至るべく夫々相反する外方に延設して各パッキン材全体を底面側に向け斜降状となし、集水溝に連通して上記底面に開口する導水路を、溝状として接続端面でパッキン材の上側及び／又は孔状としてブロック本体内で底面側に向け斜降状に設けているために、上記と同様に、ブロック本体間におけるパッキン材と流入用隙間によって排水性舗装道路の排水処理、及びブロック本体の接続端面の破損防止を図ることができる。
更に、降雨等によって不透水層の上側に滞留した浸透水を側壁の集水溝から接続端面の導水路及び／又はブロック本体内の導水路を経由させてブロック本体の底部側に排水でき、上記集水兼導水蓋による集水及び導水効果と相まって、その排水効率を高めることができ、たとえ溝状の導水路から浸透水が流出してもその下位にあるパッキン材で受け止めて底部側に速やかに導き、的確に排水処理できる。
【００７８】
又、本発明の排水性舗装道路用ブロックは、ブロック本体の集水溝と連通する導水路を、溝状としてブロック本体の接続端面及び／又は孔状としてブロック本体内に、排水性舗装道路と反対側の側壁に開口すべく該側壁側に向け斜降状に設けたために、降雨等によってその不透水層の上側に滞留した浸透水を、側壁の集水溝から上記接続端面及び／又はブロック本体内の導水路を経由させて、上記道路と反対側に導き排水でき、上記集水兼導水蓋の集水、導水効果と相まって排水効率を高めることができて、雨水ますや水抜きブロックを要して路面の表面水だけを排水していたＬ形こうや縁石類等、従来の道路用ブロックでは使用に供し得ない排水性舗装道路で好適な排水処理が行える。
【００７９】
又、本発明の側溝用ブロック又は排水性舗装道路用ブロックは、ブロック本体の接続端面に設けられる溝状の導水路の下部の凹陥度合を側壁に向かって漸次奥深くして導水路の呑口部たる側壁面における下部開口幅を広くしたために、導水路の側壁側の端部、即ち、排水性舗装道路の不透水層の上側に滞留した浸透水の呑口部が広くなって、該浸透水を直接又は集水溝から導水路内に速やかに流入させることで、排水効率を高めることができ、又、導水路が集水溝と連通する場合は、集水溝内を側壁の長手方向に流下する浸透水が集水溝と直交状の導水路内へ流入しようとする際に生じる損失を上記側壁側で拡開せる呑口部によって少なくすることができ、より効率的な導水が行える。
【００８０】
又、本発明の集水兼導水蓋は、その上部に長手方向にわたって流入孔を断続的又は連続的に穿設し、該流入孔により形成される開口部を集水部、又、それ以下の閉塞部を水路部となすために、当該集水兼導水蓋を装着したブロック本体をその側壁の集水溝が排水性舗装道路の排水機能層と不透水層の境界付近に位置するべく施工した際、降雨等によって不透水層の上側に滞留した浸透水を、多数の流入孔により形成される集水部から速やかに集水溝内に落下、流入させることができるとともに、かかる流入水を上記集水部以下に形成される水路部で排水性舗装道路側に再流出させることなく集水溝に沿って確実に導水できる。
【００８１】
又、本発明の集水兼導水蓋は、板材からなり且つその下端部を曲折した断面略Ｌ字状、又は、その上端部と下端部を曲折した断面略コ字状に形成されるとともに、その垂直片上部に流入孔を穿設してなるために、集水兼導水蓋を薄手の板材から製作しても、その長手方向における歪や腰折れが防止されて寸法精度や強度面で安定し、又、曲折した下端部を集水溝の内方に向け装着することにより、かかる下端部が集水溝の下縁で上記水路部の平滑な底部となって、その粗度係数を減少せしめ、集水溝内での流速、流量を増加させて導水、排水効率を高めることができる。
【００８２】
又、本発明の集水兼導水蓋は、断面略Ｌ字状、又は、略コ字状をなす上端部及び／又は下端部が、その反発弾性に抗して集水溝内に嵌め込まれることにより集水溝に取り付け可能となされているために、蓋の上端部及び／又は下端部を集水溝の内方に向けて嵌め込む簡単な作業で、集水兼導水蓋を容易且つ迅速に集水溝に取り付けることができる。
【図面の簡単な説明】
【図１】  本発明の側溝用ブロックの一実施形態を示し、（イ）は側面図、（ロ）は一部省略正面図、（ハ）は導水路を示す一部拡大正面図。
【図２】  図１の側溝用ブロックの施工例を示すブロック連結部における断面図。
【図３】  （イ）は図４（イ）のＢ部拡大図、（ロ）は（イ）のＣ−Ｃ端面図、（ハ）は（イ）のＤ−Ｄ端面図、（ニ）は（イ）のＰ−Ｐ端面図、（ホ）及び（ヘ）は集水溝と導水路の他の連設状態を示す一部端面図。
【図４】  本発明の側溝用ブロックの他実施形態を示し、（イ）は側面図、（ロ）は一部省略正面図。
【図５】  集水兼導水蓋の一例を示し、（イ）は一部省略正面図、（ロ）は同平面図、（ハ）は側面図、（ニ）は（イ）のＥ−Ｅ拡大断面図、（ホ）は（イ）のＦ−Ｆ拡大断面図。
【図６】  図４の側溝用ブロックの施工時の状態を示す斜視図。
【図７】  図４の側溝用ブロックの施工例を示すブロック連結部における断面図。
【図８】  （イ）は図４の側溝用ブロックの集水溝を有する側壁上部を示す部分拡大正面図、（ロ）は（イ）のＧ−Ｇ断面図、（ハ）は（イ）のＧ−Ｇ断面におけるせん断長さ解析図（集水兼導水蓋未装着）。
【図９】  （イ）乃至（ハ）はそれぞれ本発明の排水性舗装道路用ブロックの一実施形態を示し、施工時の断面図。
【図１０】  本発明の排水性舗装道路用ブロックの他実施形態を示し、施工時の断面図。
【図１１】  本発明の排水性舗装道路用ブロックの他実施形態を示し、施工時の断面図。
【図１２】  本発明の側溝用ブロックのブロック本体の他例を示す側面図。
【図１３】  本発明の側溝用ブロックの他実施形態を示し、施工時の断面図。
【図１４】  （イ）乃至（ハ）はそれぞれ本発明の側溝用ブロック又は排水性舗装道路用ブロックの他実施形態を示す要部断面図。
【図１５】  （イ）、（ハ）、（ホ）、（ト）はそれぞれ集水兼導水蓋の他の例を示す一部正面図、（ロ）は（イ）のＨ−Ｈ拡大断面図、（ニ）は（ハ）のＪ−Ｊ拡大断面図、（ヘ）は（ホ）のＫ−Ｋ拡大断面図、（チ）は（ト）のＱ−Ｑ拡大断面図。
【図１６】  （イ）、（ハ）、（ホ）はそれぞれ集水兼導水蓋の更に他の例を示す一部正面図、（ロ）は（イ）のＬ−Ｌ拡大断面図、（ニ）は（ハ）のＭ−Ｍ拡大断面図、（ヘ）は（ホ）のＮ−Ｎ拡大断面図。
【図１７】  （イ）乃至（ヘ）は夫々集水兼導水蓋と集水溝の他の例を示す要部断面図。
【図１８】  （イ）乃至（ハ）はそれぞれ集水溝への集水兼導水蓋の他の取り付け例を示す要部断面図。
【符号の説明】
１  側溝用ブロック
１ａ  排水性舗装道路用ブロック
２  ブロック本体
３  排水路
４，４ａ  側壁
５  集水溝
６  導水路
７  接続端面
８  パッキン材
８ａ  端部
８ｂ  湾曲又は屈曲部
８ｃ  下側端部
９  集水兼導水蓋
９ａ  流入孔
９ａ１  最下端縁
９ｂ  下端部
９ｃ  集水部
９ｄ  水路部
９ｅ  上端部
１１  流入用隙間
１３  連絡路
１７  上面
１８  底面
２０  排水性舗装道路
２１  排水機能層
２２  不透水層
Ｓ  せん断長さ
Ｘ  境界
【図１】
0003661147.tif 000002
【図２】
0003661147.tif 000003
【図３】
0003661147.tif 000004
【図４】
0003661147.tif 000005
【図５】
0003661147.tif 000006
【図６】
0003661147.tif 000007
【図７】
0003661147.tif 000008
【図８】
0003661147.tif 000009
【図９】
0003661147.tif 000010
【図１０】
0003661147.tif 000011
【図１１】
0003661147.tif 000012
【図１２】
0003661147.tif 000013
【図１３】
0003661147.tif 000014
【図１４】
0003661147.tif 000015
【図１５】
0003661147.tif 000016
【図１６】
0003661147.tif 000017
【図１７】
0003661147.tif 000018
【図１８】
0003661147.tif 000019